(57)【要約】【課題】上下方向の振動に起因する製品との接触部分の摩擦熱による温度上昇を抑制することが可能な段ボール製梱包部材を提供する。【解決手段】垂直面部１１および水平面部１２を有する第１支持部１０を含む段ボール製の第１梱包部材１と、第２支持部１５０ａを有する段ボール製の第２梱包部材１５０とを備えた段ボール製梱包部材において、第１梱包部材１の垂直面部１１は、液晶テレビジョン２００のスピーカ収納部２０１ａが接触する部分の近傍に所定の間隔を隔てて設けられ、上下方向の振動によりスピーカ収納部２０１ａと垂直面部１１との間に生じる摩擦熱を逃がすための複数の第１スリット部１１ａと、第１スリット部１１ａより大きい開口面積を有する第２スリット部１１ｂとを含み、側面部２０の第１スリット部１１ａおよび第２スリット部１１ｂが設けられた部分に対応する部分には、切欠部２０ａが設けられている。【選択図】図２
2005104479.tif 000002
【特許請求の範囲】
【請求項１】
樹脂製の筐体部を有する製品の前記筐体部の側部背面部を水平方向に支持する垂直面部および前記筐体部の側部下面部を垂直方向に支持する水平面部とを有するＬ字状の第１支持部を含む段ボール製の第１梱包部材と、前記第１梱包部材に取り付けられ、前記製品の筐体部の側部前面部および側部上面部を支持するための逆Ｌ字状の第２支持部を有する段ボール製の第２梱包部材とを備えた段ボール製梱包部材において、
前記第１梱包部材の第１支持部の垂直面部は、
前記製品の筐体部の側部背面部が接触する部分の近傍に所定の間隔を隔てて設けられ、実質的に水平方向に延びるとともに、上下方向の振動により前記製品の筐体部の側部背面部と前記第１梱包部材の第１支持部の垂直面部との間に生じる摩擦熱を逃がすための複数の第１スリット部と、
前記製品の筐体部の側部背面部と前記第１梱包部材の第１支持部の垂直面部との接触部近傍に前記第１スリット部と所定の間隔を隔てて実質的に水平方向に延びるように設けられ、前記第１スリット部より大きい開口面積を有するとともに、上下方向の振動により前記製品の側部背面部と前記第１支持部の垂直面部との間に生じる摩擦熱を逃がすための第２スリット部とを含み、
前記第１支持部の垂直面部と連続する前記製品側の側面部のうち、前記第１支持部の垂直面部との境界部近傍で、かつ、前記第１スリット部および前記第２スリット部が設けられた部分に対応する部分には、切欠部が設けられている、段ボール製梱包部材。
【請求項２】
製品を支持するための第１支持部を含む段ボール製の第１梱包部材を備え、
前記第１支持部は、
少なくとも前記製品を水平方向に支持する垂直面部を含み、
前記垂直面部は、
前記製品が接触する部分の近傍に、垂直方向と交差する方向に延びるように形成され、上下方向の振動により前記製品と前記垂直面部との間に生じる摩擦熱を逃がすための複数の第１スリット部を有する、段ボール製梱包部材。
【請求項３】
前記第１支持部の垂直面部は、
前記製品の筐体部の側部背面部と前記第１梱包部材の第１支持部の垂直面部との接触部近傍に垂直方向と交差する方向に延びるように設けられ、前記第１スリット部より大きい開口面積を有するとともに、上下方向の振動により前記製品と前記垂直面部との間に生じる摩擦熱を逃がすための第２スリット部をさらに含む、請求項２に記載の段ボール製梱包部材。
【請求項４】
前記第１支持部の垂直面部と連続する前記第１梱包部材の側面部をさらに含み、前記側面部のうち、前記第１支持部の垂直面部との境界部近傍で、かつ、少なくとも前記第１スリット部が設けられた部分に対応する部分には、切欠部が設けられている、請求項２または３に記載の段ボール製梱包部材。
【請求項５】
前記第１支持部は、
前記垂直面部と連続するとともに、前記筐体部の側部下面部を垂直方向に支持する水平面部を有する、請求項２〜４のいずれか１項に記載の段ボール製梱包部材。
【発明の詳細な説明】
【技術分野】
【０００１】
本発明は、段ボール製梱包部材に関し、特に、製品の筐体部を水平方向に支持する垂直面部を備えた段ボール製梱包部材に関する。
【背景技術】
【０００２】
従来、製品の運搬時に外部からの衝撃に対して製品を保護するための種々の梱包部材が知られている（たとえば、特許文献１参照）。
【０００３】
上記特許文献１には、凹部を有する熱可塑性樹脂製シートのシート面を梱包物との当接面とし、凹部を、底面が衝撃対象に対面するとともに、底面に向かって階段状に縮径するように形成し、かつ、当接面（水平面）に、当接面（水平面）の稜線に沿って複数のスリット部を設けた従来の熱可塑性樹脂製シートからなる梱包部材が開示されている。この特許文献１に開示された熱可塑性樹脂製シートからなる梱包部材では、複数のスリット部は、水平面からなる当接面に外部から衝撃が加わった場合の緩衝作用（クッション性）を強化するために設けられている。
【０００４】
また、従来、製品の筐体部を水平方向に支持する垂直面部を備えた段ボール製梱包部材が知られている。
図７は、従来の段ボール製梱包部材を使用した製品（液晶テレビジョン）の梱包構造を示した斜視図である。図８は、図７に示した従来の製品の側部を支持するための段ボール製梱包部材の斜視図である。図９は、図８に示した従来の製品の側部を支持するための段ボール製梱包部材の平面展開図である。図１０は、図８に示した従来の製品の側部を支持するための段ボール製梱包部材の側面図である。図１１は、図１０に示した従来の製品の側部を支持するための段ボール製梱包部材を製品に取り付けた状態を示した側面図である。図７〜図１１を参照して、従来の段ボール製梱包部材を用いた梱包構造について説明する。
【０００５】
図７に示した従来の段ボール製梱包部材を用いた梱包構造は、筐体部２０１が樹脂材料により成形された液晶テレビジョン２００を運搬時に梱包する際に用いられる。この梱包構造では、段ボール箱３００内に保護シート２５０で覆った液晶テレビジョン２００の側部を第１梱包部材１００と第２梱包部材１５０とで挟み込んだ状態で支持するとともに、液晶テレビジョン２００の背面を第３梱包部材２６０で支持することにより、液晶テレビジョン２００を保護する構造となっている。図７および図８に示す第１梱包部材１００は、図９に示す段ボール製のブランクシートを用いて箱状に形成されている。この第１梱包部材１００は、図８に示すように、第１支持部１１０を備えている。この第１支持部１１０は、Ｌ字状に形成されているとともに、垂直面部１１１と水平面部１１２とを含んでいる。垂直面部１１１は、液晶テレビジョン２００の筐体部２０１の側部背面部（スピーカ収納部２０１ａ）を水平方向に支持するために設けられている。また、水平面部１１２は、液晶テレビジョン２００の筐体部２０１の側部下面部を垂直方向に支持するために設けられている。
【０００６】
また、第２梱包部材１５０は、図１０および図１１に示すように、液晶テレビジョン２００を梱包する際、液晶テレビジョン２００の側部を挟み込むようにして第１梱包部材１００に取り付けられる。この第２梱包部材１５０には、液晶テレビジョン２００の側部前面部および側部上面部を支持するための逆Ｌ字状の第２支持部１５０ａが設けられている。図７に示した従来の段ボール製梱包部材では、液晶テレビジョン２００の側部に、第１梱包部材１００および第２梱包部材１５０を取り付けることにより、外部からの衝撃に対
して衝撃緩和作用を有する梱包構造が得られる。
【特許文献１】特開２０００−２３８８５２号公報
【発明の開示】
【発明が解決しようとする課題】
【０００７】
しかしながら、図７に示した従来の梱包構造では、液晶テレビジョン２００の側部を、第１梱包部材１００と第２梱包部材１５０との２つの部材を上下方向に組み合わせて支持しているため、運搬中の振動により第２梱包部材１５０が第     １梱包部材１５０に対
して上方向に移動しやすい。この場合、第２梱包部材１５０の第２支持部１５０ａと液晶テレビジョン２００の側部との間に上下方向の隙間が生じるので、液晶テレビジョン２００の側部は、上下方向に振動（移動）しやすいという不都合がある。このように、液晶テレビジョン２００の側部が上下方向に振動すると、第１梱包部材１００の第１支持部１１０の垂直面部１１１と、液晶テレビジョン２００のスピーカ収納部２０１ａとが、保護シート２５０を介して擦れた状態を保ちながら上下方向に振動する。これにより、液晶テレビジョン２００の筐体部２０１のスピーカ収納部２０１ａと、第１支持部１１０の垂直面部１１１と、保護シート２５０とに摩擦力による摩擦熱が生じるという不都合があった。この場合、スピーカ収納部２０１ａは、第１支持部１１０の垂直面部１１１との接触面積が小さいため、摩擦熱による過度の温度上昇が発生しやすいという不都合があった。その結果、保護シート２５０および液晶テレビジョン２００のスピーカ収納部２０１ａが溶解するという問題点があった。
【０００８】
また、上記特許文献１に開示された梱包部材では、製品を垂直方向に支持する水平面に緩衝作用を強化するためのスリット部が設けられているので、製品が上下方向に振動した場合にそのスリット部に緩衝機能を持たせることは可能である。
【０００９】
しかしながら、上記特許文献１に開示された構造では、製品が上下方向に振動した場合に、製品の側部と、その側部を支持する梱包部材の垂直面部とが接触した状態で移動するので、製品の側部と梱包部材の垂直面部との間に摩擦熱が発生するという不都合がある。その結果、図７に示した従来の段ボール製梱包部材の場合と同様、摩擦熱に起因して製品の側部の溶解が生じる場合があるという問題点がある。
【００１０】
この発明は、上記のような課題を解決するためになされたものであり、上下方向の振動に起因する製品との接触部分の摩擦熱による温度上昇を抑制することが可能な段ボール製梱包部材を提供することを目的とする。  
【課題を解決するための手段および発明の効果】
【００１１】
上記目的を達成するために、この発明の第１の局面における段ボール製梱包部材では、樹脂製の筐体部を有する製品の筐体部の側部背面部を水平方向に支持する垂直面部および筐体部の側部下面部を垂直方向に支持する水平面部とを有するＬ字状の第１支持部を含む段ボール製の第１梱包部材と、第１梱包部材に取り付けられ、製品の筐体部の側部前面部および側部上面部を支持するための逆Ｌ字状の第２支持部を有する段ボール製の第２梱包部材とを備えた段ボール製梱包部材において、第１梱包部材の第１支持部の垂直面部は、製品の筐体部の側部背面部が接触する部分の近傍に所定の間隔を隔てて設けられ、実質的に水平方向に延びるとともに、上下方向の振動により製品の筐体部の側部背面部と第１梱包部材の第１支持部の垂直面部との間に生じる摩擦熱を逃がすための複数の第１スリット部と、製品の筐体部の側部背面部と第１梱包部材の第１支持部の垂直面部との接触部近傍に第１スリット部と所定の間隔を隔てて実質的に水平方向に延びるように設けられ、第１スリット部より大きい開口面積を有するとともに、上下方向の振動により製品の側部背面部と第１支持部の垂直面部との間に生じる摩擦熱を逃がすための第２スリット部とを含み、第１支持部の垂直面部と連続する製品側の側面部のうち、第１支持部の垂直面部との境
界部近傍で、かつ、第１スリット部および第２スリット部が設けられた部分に対応する部分には、切欠部が設けられている。
【００１２】
この発明の第１の局面による段ボール製梱包部材では、上記のように、製品の筐体部の側面背面部を水平方向に支持する第１梱包部材の第１支持部の垂直面部を、製品の筐体部の側面背面部が接触する部分の近傍に実質的に水平方向に延びるとともに、上下方向の振動により製品の筐体部の側面背面部と第１支持部の垂直面部との間に生じる摩擦熱を逃がすための複数の第１スリット部を含むように構成することによって、製品が上下方向に移動する場合に、第１スリット部の形成位置で製品と垂直面部との接触状態が解除されるので、製品と垂直面部との接触部が擦れることにより発生する摩擦力を複数の第１スリット部で間欠的に解除することができる。また、第１スリット部が通気孔になるので、垂直面部を冷却することができる。これらにより、上下方向の振動に起因する製品と第１支持部の垂直面部との接触部分の摩擦熱による温度上昇を抑制することができるので、製品の表面温度が摩擦熱で過度に上昇して、製品の溶解が生じるのを防止することができる。また、第１支持部の垂直面部に、複数の第１スリット部を設けることによって、垂直面部の製品との接触部分の弾力性を増加させることができるので、外部から段ボール製梱包部材に衝撃が加わった場合に、製品に衝撃が伝達されるのをより抑制することができる。
【００１３】
また、第１の局面では、製品と垂直面部との接触部近傍に、第１スリット部より大きい開口面積を有するとともに、実質的に水平方向に延びる第２スリット部を設けることによって、第１スリット部よりも開口面積の大きい第２スリット部により、製品と第１支持部の垂直面部との接触部分の摩擦熱による温度上昇をより抑制することができる。その結果、上下方向の振動によって製品の表面温度が摩擦熱で過度に上昇して、製品の溶解が生じるのをより確実に防止することができる。
【００１４】
また、第１の局面では、第１支持部の垂直面部と連続する側面部のうち、垂直面部との境界部近傍で、かつ、第１スリット部および第２スリット部が設けられた部分に対応する部分に、切欠部を設けることによって、垂直面部と側面部との境界部の柔軟性を増加させることができるので、第１スリット部および第２スリット部を設けたことにより垂直面部の支持面積が減少することに起因して第１スリット部および第２スリット部の形成位置の垂直面部と側面部との境界部分に集中荷重が加わりやすくなるのを抑制することができる。また、切欠部により、垂直面部と側面部との境界部における柔軟性が増加するので、振動および衝撃を吸収することもできる。
【００１５】
また、第１の局面では、第１支持部を、垂直面部と連続するとともに、筐体部の側部下面部を垂直方向に支持する水平面部を有するように構成することによって、垂直面部により上下方向の振動による摩擦熱に起因する温度上昇を抑制しながら、水平面部により製品の側部下面部を安定して支持することができる。
【００１６】
この発明の第２の局面における段ボール製梱包部材では、製品を支持するための第１支持部を含む段ボール製の第１梱包部材を備え、第１支持部は、少なくとも製品を水平方向に支持する垂直面部を含み、垂直面部は、製品が接触する部分の近傍に、垂直方向と交差する方向に延びるように形成され、上下方向の振動により製品と垂直面部との間に生じる摩擦熱を逃がすための複数の第１スリット部を有する。
【００１７】
この発明の第２の局面による段ボール製梱包部材では、上記のように、製品の筐体部の側面背面部を水平方向に支持する第１梱包部材の第１支持部の垂直面部を、製品の筐体部の側面背面部が接触する部分の近傍に実質的に水平方向に延びるとともに、上下方向の振動により製品の筐体部の側面背面部と第１支持部の垂直面部との間に生じる摩擦熱を逃がすための複数の第１スリット部を含むように構成することによって、製品が上下方向に移
動する場合に、第１スリット部の形成位置で製品と垂直面部との接触状態が解除されるので、製品と垂直面部との接触部が擦れることにより発生する摩擦力を複数の第１スリット部で間欠的に解除することができる。また、第１スリット部が通気孔になるので、垂直面部を冷却することができる。これらにより、製品と第１支持部の垂直面部との接触部分の摩擦熱による温度上昇を抑制することができるので、上下方向の振動により製品の表面温度が摩擦熱で過度に上昇して、製品の溶解が生じるのを防止することができる。また、第１支持部の垂直面部に、複数の第１スリット部を設けることによって、垂直面部の製品との接触部分の弾力性を増加させることができるので、外部から段ボール製梱包部材に衝撃が加わった場合に、製品に衝撃が伝達されるのをより抑制することができる。
【００１８】
上記第２の局面による段ボール製梱包部材において、好ましくは、第１支持部の垂直面部は、製品の筐体部の側部背面部と第１梱包部材の第１支持部の垂直面部との接触部近傍に垂直方向と交差する方向に延びるように設けられ、第１スリット部より大きい開口面積を有するとともに、上下方向の振動により製品と垂直面部との間に生じる摩擦熱を逃がすための第２スリット部をさらに含む。このように構成すれば、第１スリット部よりも開口面積の大きい第２スリット部により、製品と第１支持部の垂直面部との接触部分の摩擦熱による温度上昇をより抑制することができる。その結果、上下方向の振動によって製品の表面温度が摩擦熱で過度に上昇して、製品の溶解が生じるのをより確実に防止することができる。
【００１９】
上記第２の局面による段ボール製梱包部材において、好ましくは、第１支持部の垂直面部と連続する第１梱包部材の側面部をさらに含み、側面部のうち、第１支持部の垂直面部との境界部近傍で、かつ、少なくとも、第１スリット部が設けられた部分に対応する部分には、切欠部が設けられている。このように構成すれば、垂直面部と側面部との境界部の柔軟性を増加させることができるので、第１スリット部および第２スリット部を設けたことにより垂直面部の支持面積が減少することに起因して第１スリット部および第２スリット部の形成位置の垂直面部と側面部との境界部分に集中荷重が加わりやすくなるのを抑制することができる。また、切欠部により、垂直面部と側面部との境界部における柔軟性が増加するので、振動および衝撃を吸収することもできる。
【００２０】
上記第２の局面による段ボール製梱包部材において、好ましくは、第１支持部は、垂直面部と連続するとともに、筐体部の側部下面部を垂直方向に支持する水平面部を有する。このように構成すれば、垂直面部により上下方向の振動による摩擦熱に起因する温度上昇を抑制しながら、水平面部により製品の側部下面部を安定して支持することができる。
【発明を実施するための最良の形態】
【００２１】
以下、本発明の実施の形態を図面に基づいて説明する。
【００２２】
図１は、本発明の一実施形態による段ボール製梱包部材を使用した製品（液晶テレビジョン）の梱包構造を示した斜視図である。図２は、図１に示した製品（液晶テレビジョン）の側部を支持するための段ボール製梱包部材の部分拡大図である。図３は、図２に示した本発明の一実施形態による段ボール製梱包部材の平面展開図である。図４は、図２に示した本発明の一実施形態による段ボール製梱包部材の側面図である。図５は、図４に示した本発明の一実施形態による段ボール製梱包部材を製品（液晶テレビジョン）に取り付けた状態を示した側面図である。図６は、図５の部分拡大図である。図１〜図６を参照して、本実施形態による段ボール製梱包部材の構造について説明する。
【００２３】
図１に示した本実施形態による段ボール製梱包部材を用いた梱包構造は、筐体部２０１が樹脂材料により成形された液晶テレビジョン２００を運搬時に梱包する際に用いられる。この梱包構造では、段ボール箱３００内に保護シート２５０で覆った液晶テレビジョン
２００の側部を第１梱包部材１と第２梱包部材１５０とで挟み込んだ状態で支持するとともに、液晶テレビジョン２００の背面を第３梱包部材２６０で支持することにより、液晶テレビジョン２００を保護する構造となっている。図１および図２に示す第１梱包部材１は、図３に示す段ボール製のブランクシートを用いて箱状に形成されている。この第１梱包部材１は、図２に示すように、第１支持部１０を備えている。この第１支持部１０は、Ｌ字状に形成されているとともに、垂直面部１１と水平面部１２とを含んでいる。垂直面部１１は、液晶テレビジョン２００の筐体部２０１の側部背面部（スピーカ収納部２０１ａ）を水平方向に支持するために設けられている。また、水平面部１２は、液晶テレビジョン２００の筐体部２０１の側部下面部を垂直方向に支持するために設けられている。
【００２４】
ここで、本実施形態では、第１梱包部材１の第１支持部１０の垂直面部１１は、図２に示すように、３つの第１スリット部１１ａと、１つの第２スリット部１１ｂとを含んでいる。第１スリット部１１ａは、垂直面部１１のうち、液晶テレビジョン２００の筐体部２０１のスピーカ収納部２０１ａが接触する部分の近傍に所定の間隔を隔てて、実質的に水平方向に延びるように設けられている。この第１スリット部１１ａは、上下方向の振動により液晶テレビジョン２００の筐体部２０１のスピーカ収納部２０１ａと第１梱包部材１の第１支持部１０の垂直面部１１との間に生じる摩擦熱を逃がすために設けられている。また、第２スリット部１１ｂは、液晶テレビジョン２００のスピーカ収納部２０１ａと第１梱包部材１の垂直面部１１との接触部近傍に、第１スリット部１１ａと所定の間隔を隔てて実質的に水平方向に延びるように設けられている。この第２スリット部１１ｂは、第１スリット部１１ａより大きい開口面積を有している。また、第２スリット部１１ｂは、第１スリット部１１ａと同様、上下方向の振動により液晶テレビジョン２００のスピーカ収納部２０１ａと、第１支持部１０の垂直面部１１との間に生じる摩擦熱を逃がすために設けられている。これら第１スリット部１１ａおよび第２スリット部１１ｂと、液晶テレビジョン２００のスピーカ収納部２０１ａとの初期位置（振動していない状態での位置）は、図５および図６に示すようになっている。
【００２５】
また、図２に示すように、第１支持部１０の垂直面部１１と連続する液晶テレビジョン２００側の側面部２０のうち、垂直面部１１との境界部近傍で、かつ、第１スリット部１１ａおよび第２スリット部１１ｂが設けられた部分に対応する部分には、切欠部２０ａが設けられている。この切欠部２０ａは、垂直面部１１と側面部２０との境界部の柔軟性を増加させるために設けられている。この切欠部２０ａの上部は、側面部２０から垂直面部１０に跨るように形成されている。
【００２６】
また、第２梱包部材１５０は、図４および図５に示すように、液晶テレビジョン２００を梱包する際、液晶テレビジョン２００の側部を挟み込むようにして第１梱包部材１に取り付けられる。この第２梱包部材１５０には、液晶テレビジョン２００の側部前面部および側部上面部を支持するための逆Ｌ字状の第２支持部１５０ａが設けられている。図１に示した本実施形態による段ボール製梱包部材では、液晶テレビジョン２００の側部に、第１梱包部材１０および第２梱包部材１５０を取り付けることにより、外部からの衝撃に対して衝撃緩和作用を有する梱包構造が得られる。
【００２７】
本実施形態では、上記のように、液晶テレビジョン２００の筐体部２０１のスピーカ収納部２０１ａを水平方向に支持する第１梱包部材１の第１支持部１０の垂直面部１１に、液晶テレビジョン２００の筐体部２０１のスピーカ収納部２０１ａが接触する部分の近傍に実質的に水平方向に延びるとともに、上下方向の振動により液晶テレビジョン２００のスピーカ収納部２０１ａと第１支持部１０の垂直面部１１との間に生じる摩擦熱を逃がすための３つの第１スリット部１１ａを含むように構成することによって、液晶テレビジョン２００が上下方向に移動する場合に、３つの第１スリット部１１ａの形成位置で液晶テレビジョン２００と垂直面部１１との接触状態が解除されるので、液晶テレビジョン２０
０と垂直面部１１との接触部が擦れることにより発生する摩擦力を３つの第１スリット部１１ａで間欠的に解除することができる。また、３つの第１スリット部１１ａが通気孔になるので、垂直面部１１を冷却することができる。これらにより、上下方向の振動に起因する液晶テレビジョン２００と第１支持部１０の垂直面部１１との接触部分の摩擦熱による温度上昇を抑制することができるので、液晶テレビジョン２００の表面温度が摩擦熱で過度に上昇して、液晶テレビジョン２００の溶解が生じるのを防止することができる。
【００２８】
また、本実施形態では、液晶テレビジョン２００と垂直面部１１との接触部の中央部近傍に、３つの第１スリット部１１ａより大きい開口面積の１つの第２スリット部１１ｂを設けることによって、液晶テレビジョン２００と第１支持部１０の垂直面部１１との接触部分の摩擦熱による温度上昇をより抑制することができる。その結果、液晶テレビジョン２００の表面温度が摩擦熱で過度に上昇して、液晶テレビジョン２００の溶解が生じるのをより確実に防止することができる。
【００２９】
また、本実施形態では、第１支持部１０の垂直面部１１に、３つの第１スリット部１１ａおよび１つの第２スリット部１１ｂを設けることによって、垂直面部１１の液晶テレビジョン２００との接触部分の弾力性を増加させることができるので、外部から段ボール製梱包部材に衝撃が加わった場合に、液晶テレビジョン２００に衝撃が伝達されるのをより抑制することができる。
【００３０】
また、本実施形態では、第１支持部１０の垂直面部１１と連続する側面部２０のうち、垂直面部１１との境界部近傍で、かつ、第１スリット部１１ａおよび第２スリット部１１ｂが設けられた部分に対応する部分に、切欠部２０ａを設けることによって、垂直面部１１と側面部２０との境界部の柔軟性を増加させることができるので、第１スリット部１１ａおよび第２スリット部１１ｂを設けたことにより垂直面部１１の支持面積が減少することに起因して第１スリット部１１ａおよび第２スリット部１１ｂの形成位置の垂直面部１１と側面部２０との境界部分に集中荷重が加わりやすくなるのを抑制することができる。
【００３１】
また、本実施形態では、切欠部２０ａにより、垂直面部１１と側面部２０との境界部における柔軟性が増加するので、振動および衝撃を吸収することもできる。
【００３２】
また、本実施形態では、第１支持部１０を、垂直面部１１と連続するとともに、液晶テレビジョン２００のスピーカ収納部２０１ａを垂直方向に支持する水平面部１２を有するように構成することによって、垂直面部１１により上下方向の振動による摩擦熱に起因する温度上昇を抑制しながら、水平面部１２により液晶テレビジョン２００の側部下面部を安定して支持することができる。
【００３３】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００３４】
たとえば、上記実施形態では、液晶テレビジョン２００の側部を支持するための段ボール製梱包部材に本発明を適用する例を示したが、本発明はこれに限らず、液晶テレビジョン以外の製品の側部を支持するための段ボール製梱包部材にも適用可能である。さらに、製品を水平方向に支持する垂直面部を有する段ボール製梱包部材に広く適用可能である。また、上記実施形態では、第１支持部１０の垂直面部１１に、第１スリット部１１ａより大きい開口面積を有する第２スリット部１１ｂを設けたが、本発明はこれに限らず、第２スリット部を設けずに、第１スリット部のみ設けるようにしてもよい。
【図面の簡単な説明】
【００３５】
【図１】本発明の一実施形態による段ボール製梱包部材を使用した製品（液晶テレビジョン）の梱包構造を示した斜視図である。
【図２】図１に示した製品（液晶テレビジョン）の側部を支持するための段ボール製梱包部材の部分拡大図である。
【図３】図２に示した本発明の一実施形態による段ボール製梱包部材の平面展開図である。
【図４】図２に示した本発明の一実施形態による段ボール製梱包部材の側面図である。
【図５】図４に示した本発明の一実施形態による段ボール製梱包部材を製品（液晶テレビジョン）に取り付けた状態を示した側面図である。
【図６】図５の部分拡大図である。
【図７】従来の段ボール製梱包部材を使用した製品（液晶テレビジョン）の梱包構造を示した斜視図である。
【図８】図７に示した従来の製品の側部を支持するための段ボール製梱包部材の斜視図である。
【図９】図８に示した従来の製品の側部を支持するための段ボール製梱包部材の平面展開図である。
【図１０】図８に示した従来の製品の側部を支持するための段ボール製梱包部材の側面図である。
【図１１】図１０に示した従来の製品の側部を支持するための段ボール製梱包部材を製品に取り付けた状態を示した側面図である。
【図１２】図７に示した製品（液晶テレビジョン）の背面図である。
【符号の説明】
【００３６】
１  第１梱包部材
１０  第１支持部
１１  垂直面部
１１ａ  第１スリット部
１１ｂ  第２スリット部
１２  水平面部
２０  側面部
２０ａ  切欠部
１５０  第２梱包部材
１５０ａ  第２支持部
２００  製品（液晶テレビジョン）
２０１  筐体部
２０１ａ  スピーカ収納部
【図１】
2005104479.tif 000003
【図２】
2005104479.tif 000004
【図３】
2005104479.tif 000005
【図４】
2005104479.tif 000006
【図５】
2005104479.tif 000007
【図６】
2005104479.tif 000008
【図７】
2005104479.tif 000009
【図８】
2005104479.tif 000010
【図９】
2005104479.tif 000011
【図１０】
2005104479.tif 000012
【図１１】
2005104479.tif 000013
【図１２】
2005104479.tif 000014